(57)【特許請求の範囲】
【請求項１】
絶縁被覆電線の外径寸法よりも小径のワイヤ挿入孔を備えた弾性部材よりなるワイヤシールに上記電線を挿入することによって、該電線の端末部の絶縁被覆外周にワイヤシールを取り付けるワイヤシールの取付方法において、
上記電線の外径よりも大きい収容孔を有し、該収容孔における上記ワイヤシールの挿入側が該収容孔よりも大きくなるようにホルダ側段差が形成された、該ワイヤシールよりも剛性の高いワイヤシールホルダを用意する準備工程と、
上記ワイヤシールの先端側を上記収容孔に挿入し、該ワイヤシールの先端側よりも大径のシール側段差が上記ホルダ側段差を超えないように該ワイヤシールを供給するシール供給工程と、
上記シール側段差を上記ホルダ側段差に当接させた状態で上記電線の端末部の先端を上記ワイヤシールの先端付近まで相対的に押し込む第１挿入工程と、
一旦上記電線を上記ワイヤシールと共に上記ワイヤシールホルダから相対的に引き戻す引き戻し工程と、
再び上記電線を上記ワイヤシールホルダに相対的に差し込んで、上記ワイヤシールを上記シール側段差よりも先端の部分で上記ホルダ側段差に当接させる第２挿入工程とを含む
ことを特徴とするワイヤシールの取付方法。
【請求項２】
請求項１に記載のワイヤシールの取付方法において、
上記第２挿入工程で、上記ワイヤシールの先端を上記ホルダ側段差に当接させる
ことを特徴とするワイヤシールの取付方法。
【請求項３】
請求項１に記載のワイヤシールの取付方法において、
上記第２挿入工程で、上記ワイヤシールの上記シール側段差よりも小径の第２シール側段差を上記ホルダ側段差に当接させる
ことを特徴とするワイヤシールの取付方法。
【請求項４】
請求項１乃至３のいずれか１つに記載のワイヤシールの取付方法において、
上記第２挿入工程で規定位置を越える位置まで電線を挿入した後、上記電線を上記ワイヤシールごと引き戻す方向に移動して該ワイヤシールをワイヤシールホルダの収容孔近傍で電線を案内しているガイド体に当接させ、電線を後退させることにより規定位置に調整する調整工程を含む
ことを特徴とするワイヤシールの取付方法。
【請求項５】
請求項４に記載のワイヤシールの取付方法において、
上記調整工程は、上記ワイヤシールを上記ホルダ側段差に当接させる上記第２挿入工程と、上記ガイド体に当接させる引き戻し工程とを複数回繰り返すことにより徐々に規定位置に位置決めする
ことを特徴とするワイヤシールの取付方法。
【発明の詳細な説明】
【技術分野】
【０００１】
本発明は、ワイヤシール取付方法に関し、特に絶縁被覆電線にワイヤシールを取り付けやすくする技術に関する。
【背景技術】
【０００２】
例えば、自動車の電装品等に接続される電線は、複数の銅線からなる芯線の外周を絶縁被覆で覆われたものよりなり、その端末部は、所定長さ絶縁被覆が除去されている。その芯線部分及び絶縁被覆部分に接続端子が圧着され、この接続端子及び電線端末部を覆うようにコネクタハウジングが取り付けられている。
【０００３】
この種のコネクタにおいて、特に自動車のエンジンルーム等に配設されるようなものにあっては、コネクタ内部への雨水等の侵入を防止するために、電線の端末部周辺の絶縁被覆外周にワイヤシールが取り付けられている。このワイヤシールは、ゴム製であって略円筒状に形成されており、その内径が電線の外径よりも僅かに小径に形成されている。そして、電線にワイヤシールを取り付ける際には、ワイヤシールに電線を挿入し、電線の端末部を所定寸法だけワイヤシールの端部から突出させるようにして行うことになる。そして、その際、ワイヤシールの内径が電線の外径よりも僅かに小径に形成されているために、このワイヤシールは、その径方向に僅かに弾性変形することになる。つまり、電線がワイヤシールの内径を押し広げながら、このワイヤシールに挿入されることになる。そして、このようにして電線が挿入されると、ワイヤシールの径方向の弾性変形に伴う弾性力によって絶縁被覆とワイヤシールとが密着して防水機能が発揮されるようになっている。ところが、このワイヤシールに電線を挿入する際、このワイヤシールは、その径方向に弾性変形するばかりでなく、電線外周面とワイヤシール内周面との間での挿入摩擦抵抗によって、ワイヤシールの内周面及びその周辺部が電線の挿入方向に向って僅かに変形することになり、この変形が弾性域を越えたような場合には、この変形が残留されてしまうことになる。そして、このようにワイヤシールの内周面及びその周辺部が変形したような場合、ワイヤシールの内周面の一部が絶縁被覆の外周面から離隔されてしまったり、十分な弾性力が発揮されなくなって防水機能が低下してしまう。また、電線の挿入によってワイヤシールが弾性変形しているような場合、この電線挿入後に、該電線及びワイヤシールのクランプ状態を解除すると、ワイヤシールの弾性変形が解除され、これに伴って電線に対するワイヤシールの取り付け位置がずれてしまって、ワイヤシールを最適な位置に取り付けることができなくなり、これによってもワイヤシールの防水機能が低下してしまうといった不具合がある。
【０００４】
そこで、例えば、特許文献１のように、筒状のゴム栓の電線挿入孔に電線の端末部を挿入して電線の軸線方向の規定位置にゴム栓を取り付けるゴム栓の取付方法が知られている。この取り付け方法では、規定位置を超える位置まで電線をゴム栓の電線挿入孔に挿入するようにゴム栓を電線に対して相対移動する第１相対移動ステップを実行した後、少なくとも規定位置まで電線をゴム栓に対して引き戻すようにゴム栓を電線に対して相対移動する第２相対移動ステップを実行し、その後、さらに、第１相対移動ステップと第２相対移動ステップとをこの順で少なくとも１回ずつ実行する繰り返しステップを実行し、そして繰り返しステップ終了時に規定位置にゴム栓を位置決めするようにゴム栓と電線の相対移動が停止されるようにしている。
【先行技術文献】
【特許文献】
【０００５】
【特許文献１】特開２００７−３１７４９５号公報
【発明の概要】
【発明が解決しようとする課題】
【０００６】
上記特許文献１のワイヤシールの取付方法では、上下２分割のゴム栓ホルダを上下に開いた状態で下側ホルダの収容空間にフィールドピンが挿入されたゴム栓を収容した後、ゴム栓ホルダを閉じ、フィールドピンを後退させ、その後、電線を電線挿入孔に挿入するようにし、挿入と引き戻しの動作を少なくとも２回繰り返してゴム栓を規定位置に位置決めするようにしている。
【０００７】
しかしながら、この方法では、ゴム栓ホルダを開閉するスペース及び機構が必要となる。また、外周面の段差が明確なワイヤシール（ゴム栓）には適用できるものの、段差が明確でなく、比較的薄くて柔らかいワイヤシールには適用できないという問題があった。
【０００８】
つまり、比較的薄くて柔らかいワイヤシールを上記特許文献１の取付方法で使用した場合、ワイヤシールに電線を挿入させることはできるが、ワイヤシールの段差が僅かしかないため、ワイヤシールの大径部が、ゴム栓ホルダの段差部で、保持されずにゴム栓ホルダの小径部に食込むように入り込んでしまう。
【０００９】
次に、電線を引き戻してもワイヤシールの大径部がゴム栓ホルダの大径部空間に抜け出るまでワイヤシールを十分引き戻す空間がないため、ワイヤシールの大径部がゴム栓ホルダの小径部に留まり、ワイヤシールの正確な位置決めができなくなる。
【００１０】
また、ゴム栓ホルダの小径部にワイヤシール大径部が留まった状態で、電線を前後移動すると、薄いワイヤシールに大きな負荷がかかり、ワイヤシールが、亀裂する恐れがある。
【００１１】
本発明は、かかる点に鑑みてなされたものであり、その目的とするところは、外周面の段差が明確でない柔軟性の高いワイヤシールでも電線に確実に位置決めができるようにすることにある。
【課題を解決するための手段】
【００１２】
上記の目的を達成するために、この発明では、電線挿入前と電線挿入後とでホルダ側段差に当接させる箇所を異なる部分にした。
【００１３】
具体的には、第１の発明では、
絶縁被覆電線の外径寸法よりも小径のワイヤ挿入孔を備えた弾性部材よりなるワイヤシールに上記電線を挿入することによって、該電線端末部の絶縁被覆外周にワイヤシールを取り付けるワイヤシールの取付方法を前提とする。
【００１４】
そして、上記取付方法は、
上記電線の外径よりも大きい収容孔を有し、該収容孔における上記ワイヤシール挿入側が該収容孔よりも大きくなるようにホルダ側段差が形成された、該ワイヤシールよりも剛性の高いワイヤシールホルダを用意する準備工程と、
上記ワイヤシールの先端側を上記収容孔に挿入し、該ワイヤシールの先端側よりも大径のシール側段差が上記ホルダ側段差を超えないように該ワイヤシールを供給するシール供給工程と、
上記シール側段差を上記ホルダ側段差に当接させた状態で上記電線の端末部の先端を上記ワイヤシールの先端付近まで相対的に押し込む第１挿入工程と、
一旦上記電線を上記ワイヤシールと共に上記ワイヤシールホルダから相対的に引き戻す引き戻し工程と、
再び上記電線を上記ワイヤシールホルダに相対的に差し込んで、上記ワイヤシールを上記シール側段差よりも先端の部分で上記ホルダ側段差に当接させる第２挿入工程とを含む。
【００１５】
上記の構成によると、ワイヤシール供給工程では、ワイヤ挿入孔に電線が挿入されていないので、ワイヤシールの外径は膨らんでおらず、シール側段差がホルダ側段差を超えないようにワイヤシールがワイヤシールホルダの収容孔内に供給される。そして、第１挿入工程において、シール側段差よりも先端側が収容孔内に入り込む。その状態でワイヤ挿入孔に電線を挿入すると、ワイヤ挿入孔の内径が電線の外径よりも小さいため、ワイヤシールが変形しながら電線がワイヤシール内に挿入される。このとき、ワイヤシールホルダは該ワイヤシールよりも剛性が高いので、ワイヤシールは径方向に広がることができず、電線の長さ方向に撓む。そして、引き戻し工程で、ワイヤシールの長さ方向の撓みを開放すると共に、径方向にも径が広がる。すると、次の第２挿入工程において、ワイヤシールの外径が電線挿入前よりも大きくなっているので、シール側段差がホルダ側段差に当接する前に、シール側段差よりも先端の部分がホルダ側段差に当接してワイヤシールが収容孔の方に入り込まずに電線のみが収容孔を滑るように進み、ワイヤシールの長さ方向の撓みが軽減される。
【００１６】
第２の発明では、第１の発明において、
上記第２挿入工程で、上記ワイヤシールの先端を上記ホルダ側段差に当接させる構成とする。
【００１７】
上記の構成によると、ワイヤシールの外周に１つの段差しか設けられていないときには、電線挿入前には、シール側段差がホルダ側段差に当接し、電線挿入後の第２挿入工程では、電線挿入により膨らんだワイヤシール先端がホルダ側段差に当接する。このため、ワイヤシールが必要以上に収容孔の方に入り込まずに電線のみが収容孔を進み、ワイヤシールが滑ってその長さ方向の撓みが軽減される。なお、ワイヤシールの外周に複数の段差が設けられているときでも、電線挿入により膨らんだワイヤシール先端をホルダ側段差に当接するようにしてもよい。
【００１８】
第３の発明では、第１の発明において、
上記第２挿入工程で、上記ワイヤシールの上記シール側段差よりも小径の第２シール側段差を上記ホルダ側段差に当接させる。
【００１９】
上記の構成によると、ワイヤシールの外周に複数の段差が設けられているときには、電線挿入前には、シール側段差がホルダ側段差に当接し、電線挿入後の第２挿入工程では、電線挿入により膨らんだ第２シール側段差がホルダ側段差に当接する。このため、ワイヤシールが収容孔の方に必要以上に入り込まずに電線のみが収容孔を進み、ワイヤシールが滑ってその長さ方向の撓みが軽減される。
【００２０】
第４の発明では、第１乃至第３のいずれか１つの発明において、
上記第２挿入工程の後、上記電線を引き戻して上記ワイヤシールを規定位置に調整する調整工程を含む。
【００２１】
上記の構成によると、調整工程でワイヤシールホルダの外で最終的に規定位置に調整されることでワイヤシールの撓みを防ぎながら正確な位置決めが行われる。
【００２２】
第５の発明では、上記調整工程において、上記ワイヤシールを上記ホルダ側段差に当接させる上記第２挿入工程と、上記ガイド体に当接させる引き戻し工程とを複数回繰り返すことにより徐々に規定位置に位置決めするようにしてもよい。
【００２３】
上記の構成によると、電線の前後移動を繰り返し、少しずつ規定位置に移動することで、ワイヤシールの弾性変形を確実に解消することができ、ワイヤシールを最適な状態に取り付けることができる。
【発明の効果】
【００２４】
以上説明したように、本発明によれば、ワイヤシールの先端側を該ワイヤシールよりも剛性の高いワイヤシールホルダの収容孔に挿入し、ワイヤシールの先端側よりも大径のシール側段差をホルダ側段差に当接させた状態でワイヤシールを供給し、電線の端末部の先端をワイヤシールの先端付近まで押し込み、一旦電線をワイヤシールと共にワイヤシールホルダから引き戻す方向に移動させて、再び電線をワイヤシールホルダに差し込んで、ワイヤシールをシール側段差よりも先端の部分でホルダ側段差に当接させることにより、外周面の段差が明確でない柔軟性の高いワイヤシールでも確実に電線に取り付けることができる。
【図面の簡単な説明】
【００２５】
【図１】本発明の実施形態に係るワイヤシールの取付方法の第１挿入工程を示す断面図である。
【図２】本発明の実施形態に係るワイヤシールの取付方法の第１挿入工程を示す側面図である。
【図３】本発明の実施形態に係るワイヤシールホルダの収容孔にワイヤシールが収容された状態を示す断面図である。
【図４】本発明の実施形態に係るワイヤシールの取付方法の第１引き戻し工程を示す断面図である。
【図５】本発明の実施形態に係るワイヤシールの取付方法の第２挿入工程を示す断面図である。
【図６】本発明の実施形態に係るワイヤシールの取付方法の第２引き戻し工程を示す断面図である。
【図７】ワイヤシールの拡大正面図である。
【図８】その他の実施形態に係るワイヤシールの拡大正面図である。
【図９】その他の実施形態に係るワイヤシールの取付方法の第２挿入工程を示す断面図である。
【発明を実施するための形態】
【００２６】
以下、本発明の実施形態を図面に基づいて説明する。
【００２７】
図１及び図２は、本発明の実施形態のワイヤシール５の取付装置１０の要部を示し、この取付装置１０は、電線処理装置（全体は図示せず）に設けられている。この取付装置１０は、図示しない相対移動制御部で制御され、銅線等よりなる芯線１の外周が塩化ビニルなどの絶縁被覆２で覆われた絶縁被覆電線３の端末部３ａにチューブ状のワイヤシール５を取り付けるように構成されている。
【００２８】
電線処理装置の大部分は、従来と同様に構成すればよく、詳しい説明は省略するが、電線送給ラインに沿って所定方向に所定量だけ送給された電線３が切断処理され、それら各電線３の端末部３ａの絶縁被覆２外周にワイヤシール５がそれぞれ取り付けられるようになっている。そして、剥ぎ取り部により、ワイヤシール５の取付後、各端末部３ａのワイヤシール５の取付位置よりも先端側の絶縁被覆２を剥ぎ取り、芯線１を露出させる被覆剥取処理が行われる。そして、端子圧着部により、その被覆剥取部分に接続端子（図示せず）が圧着処理され、ワイヤシール５が取り付けされた状態で、接続端子が圧着処理されたハーネスが順次製造されるように構成されている。
【００２９】
詳しくは図示しないが、ワイヤシール５を供給するシール供給部は、電線処理装置の本体架台とは、異なる別の分離架台上に設置され、例えば、ワイヤシール５を順次整列供給する振動式パーツフィーダを備えている。そして、パーツフィーダから順次整列供給されるワイヤシール５を単一ごとワイヤシールホルダ１１に圧縮空気を利用して供給するようになっている。
【００３０】
図３〜図７に示すように、ワイヤシール５は、絶縁被覆電線３の絶縁被覆２で覆われた部分の外径寸法（Ｄ１）よりも小さい内径（Ｄ２）のワイヤ挿入孔６を備え（Ｄ１＞Ｄ２）、例えばシリコンゴムなどの弾性部材よりなる。ワイヤシール５は、例えば、外周に複数の段差、すなわち、最も大きい外径Ｄ３部分の先端側に形成された第１シール側段差７と、この第１シール側段差７よりも外径Ｄ４が小さい部分の先端側の第２シール側段差８とを有する（Ｄ４＜Ｄ３）。図７に示すように、第１シール側段差７は、一部垂直面があるように描いているが、第２シール側段差８は、テーパ状に外径が小さくなることで段差状に形成されている。このように本発明では、段差が、垂直面を有する場合だけでなく、垂直面は有さず傾斜面のみを有していてもよい。
【００３１】
そして、図３に示すように、上記ワイヤシールホルダ１１は、電線３の外径Ｄ１よりも大きい内径Ｄ５の収容孔１１ａを有し（Ｄ５＞Ｄ１）、この収容孔１１ａにおけるワイヤシール５の挿入側が収容孔１１ａよりも大きい内径Ｄ６となるようにホルダ側段差１１ｂが形成されるように内径が大きくなっている。本実施形態での寸法関係は、Ｄ２（ワイヤ挿入孔６の内径）＜Ｄ１（電線３の外径）＜Ｄ４（電線３挿入前の第２シール側段差８の外径）≦Ｄ５（収容孔１１ａの内径）＜Ｄ３（第１シール側段差７の外径）＜Ｄ６（ホルダ側段差１１ｂの内径）となっている。このワイヤシールホルダ１１は、絶縁被覆電線３の挿入時にワイヤシール５を保持する役割を果たす。ワイヤシールホルダ１１は、アルミ合金や鉄等の金属材、硬質樹脂やワイヤシールよりも硬質のゴム等からなる剛体構造が望ましいが、少なくともワイヤシール５よりも硬く、電線３を挿入することで膨らんだワイヤシール５によって変形しない剛性を有するようにするとよい。
【００３２】
図１及び図２に示すように、取付装置１０は、電線３をワイヤシールホルダ１１に案内するガイド体としての電線ガイド１２を備えている。この電線ガイド１２は、少なくとも上下に昇降可能な上側アーム１２ａと下側アーム１２ｂとを備え、これら上側アーム１２ａのガイド用凹部１２ｃと、下側アーム１２ｂのガイド用凹部１２ｃとで、電線３がワイヤシールホルダ１１の収容孔に進入できるようガイド孔を形成するようになっている。そのため、ガイド用凹部１２ｃの内径は、電線３の外径Ｄ１以上となっている。
【００３３】
次に、ワイヤシール５を電線３に装着する工程を、図面を用いて説明する。
【００３４】
まず、シール供給工程において、図３に示されるように、パーツフィーダによって順次整列供給されてきたワイヤシール５が、圧縮エアにより、その先端側が収容孔１１ａに挿入され、その先端側よりも大径となる第１シール側段差７がホルダ側段差１１ｂに当接させるように収容孔１１ａに収容される。このとき、図３に示すように、第１シール側段差７がホルダ側段差１１ｂに当接する手前で止まっていてもよい。このシール供給工程では、ワイヤ挿入孔６に電線３が挿入されていないので、ワイヤシール５の外径は膨らんでおらず、第２シール側段差８は、収容孔１１ａ内に入り込んでいる。
【００３５】
次に、第１挿入工程において、電線クランプ（図示せず）により把持された電線３が、電線ガイド１２に案内されて、ワイヤシールホルダ１１の収容孔に収容されているワイヤシール５に挿入される。図１に示すように、第１シール側段差７を上記ホルダ側段差１１ｂに当接させた状態で電線３の端末部３ａを少なくともその先端がワイヤシール５の第２シール側段差８を超えるまで押し込む。このとき、第２シール側段差８は、収容孔１１ａの中に入り込んでおり、ワイヤ挿入孔６の内径Ｄ５が電線３の外径Ｄ１よりも小さいため、ワイヤシール５が変形しながら電線３がワイヤシール５内に挿入される。しかし、ワイヤシールホルダ１１はワイヤシール５よりも剛性が高いので、ワイヤシール５は径方向に広がることができず、電線３の長さ方向に撓む。ワイヤシール５は、第１シール側段差７がホルダ側段差１１ｂに当接しているので、それ以上収容孔１１ａ内に入り込まない。このことから、電線挿入時に電線が入り込まないように第１シール側段差７の外径Ｄ３と、ホルダ側段差１１ｂの内径Ｄ６との差を設定するとよい。
【００３６】
次に、第１引き戻し工程において、電線ガイド１２にガイドされた状態で、一旦電線３をワイヤシール５と共にワイヤシールホルダ１１から引き戻す。電線３が若干引き戻し操作されると、ワイヤシール５のワイヤ挿入孔６に電線３の端末部３ａが僅かに圧入状態で挿入されており、その摩擦抵抗により電線３と共にワイヤシール５も収容孔１１ａより離脱する方向に移動される。そして、図４に示すように、ワイヤシール５が電線ガイド１２のガイド用凹部１２ｃ周縁に当接した状態が得られる。このとき、ワイヤシール５が絶縁被覆２の上を滑るようにワイヤシール５の長さ方向の撓みが開放されると共に、径方向にも広がる。
【００３７】
次いで、第２挿入工程において、図５に示すように、再び電線３をワイヤシールホルダ１１に差し込んで、ワイヤシール５を第１シール側段差７よりも先端の部分でホルダ側段差１１ｂに当接させる。つまり、ワイヤシール５の外径Ｄ４が電線３挿入前よりも大きくなっているので、第１シール側段差７がホルダ側段差１１ｂに当接する前に、第１シール側段差７よりも先端側の第２シール側段差８がホルダ側段差１１ｂに当接する。そして、この第２シール側段差８がホルダ側段差１１ｂに対するストッパとなり、第１挿入工程のときのように第２シール側段差８がホルダ側段差１１ｂよりも奥に入り込まないので、電線３のみが収容孔１１ａを滑るように進み、ワイヤシール５の長さ方向の撓みが軽減される。このことから、２回目の電線３の挿入時に電線３が入り込まないように、電線３の挿入後の第２シール側段差８の外径Ｄ４と、ホルダ側段差１１ｂの内径Ｄ６との差を設定するとよい。このときの、電線３は、ワイヤシール５に対して規定長さを超える位置まで挿入されている。
【００３８】
次に、第２引き戻し工程において、電線ガイド１２により、再び電線３をワイヤシール５と共にワイヤシールホルダ１１から引き戻す。そして、ワイヤシール５が再び電線ガイド１２のガイド用凹部１２ｃ周縁に当接した状態が得られる。
【００３９】
次いで、調整工程において、図６に示すように、このワイヤシール５がガイド用凹部１２ｃ周縁に当接した状態で、さらに、電線３を若干引き戻し操作することにより、ワイヤシール５の移動が規制された状態で電線３が引き戻されて、ワイヤシール５の装着位置が調整される。これにより、電線３の端末部３ａの製品としての規定長さ位置に対応する規定位置にワイヤシール５が装着された状態が得られる。この調整工程でワイヤシールホルダ１１の外で最終的に規定位置とされることでワイヤシール５の撓みを防ぎながら正確な位置決めが行われる。例えば、この調整工程において、タイマーを設けて一旦停止し、ワイヤシール５の変形を、その弾性により回復させるようにしてもよい。
【００４０】
なお、上記調整工程において、最終的な規定位置に位置決めする工程として、図５と図６の第２挿入工程と引き戻し工程とを複数回に分けて前後移動させ、徐々に規定位置に位置決めするように移動するようにしてもよい。こうすることで、ワイヤシール５の弾性変形を解消することができ、ワイヤシール５を最適な状態に取り付けることができる。
【００４１】
次いで、剥ぎ取り工程において、ワイヤシール５が取り付けられた状態でワイヤシール５よりも先端側の絶縁被覆２を所定長さだけ剥ぎ取る。
【００４２】
次いで、端子圧着工程において、露出した電線３の芯線１と絶縁被覆２とに接続端子を圧着させる。このように、ワイヤシール５の取付と、接続端子の圧着とが１台のワイヤシール取付装置１０で行える。
【００４３】
したがって、本実施形態に係るワイヤシールの取付方法によると、外周面の段差が明確でない柔軟性の高いワイヤシールでも確実に電線３に取り付けることができる。
【００４４】
（その他の実施形態）
本発明は、上記実施形態について、以下のような構成としてもよい。
【００４５】
すなわち、上記実施形態では、ワイヤシール５の先端側に第２シール側段差８を設けたが、必ずしもこの段差を設ける必要はなく、図８に示すように、ワイヤシール１０５に第１シール側段差１０７のみを設けてもよい。この場合には、例えば、先端側まで上記実施形態の第２シール側段差８と同等の外径Ｄ４を保つようにすればよい。このように、ワイヤシール５の外周に１つの段差しか設けられていないときには、第１挿入工程では、上記実施形態と同様に第１シール側段差７がホルダ側段差１１ｂに当接し、第２挿入工程では、図９に示すように、電線３の挿入により膨らんだ先端１０８がホルダ側段差１１ｂに当接する。このため、ワイヤシール１０５が収容孔１１ａの方にそれ以上入り込まずに電線３のみが収容孔１１ａを進み、ワイヤシール１０５の長さ方向の撓みが軽減される。このように、２回目の電線３の挿入時に電線３が入り込まないように、電線３の挿入後の先端１０８の外径Ｄ４と、ホルダ側段差１１ｂの内径Ｄ６との差を設定するとよい。
【００４６】
また、上記実施形態では、ワイヤシールホルダ１１は、上下分割式としていないが、上下分割式としてもよい。また、ワイヤシールホルダ１１のホルダ側段差１１ｂを形成するために、ワイヤシールホルダ１１内に収容孔１１ａと同じ内径を持つカラーを嵌め込み、このカラーの端部でホルダ側段差１１ｂを形成してもよい。
【００４７】
また、上記実施形態では、ワイヤシールホルダ１１に対して、電線３が移動してワイヤシール５に挿入しているが、電線３に対して、ワイヤシールホルダ１１が移動して電線３に挿入するようにしてもよく、相対移動することで挿入できればどちらでもよい。
【００４８】
なお、以上の実施形態は、本質的に好ましい例示であって、本発明、その適用物や用途の範囲を制限することを意図するものではない。
【産業上の利用可能性】
【００４９】
以上説明したように、本発明は、ワイヤシール取付方法及びワイヤシール取付装置について有用である。
【符号の説明】
【００５０】
１      芯線
２      絶縁被覆
３      絶縁被覆電線
３ａ    端末部
５      ワイヤシール
６      ワイヤ挿入孔
７      第１シール側段差
８      第２シール側段差
１０      ワイヤシール取付装置
１１      ワイヤシールホルダ
１１ａ    収容孔
１１ｂ    ホルダ側段差
１２      電線ガイド（ガイド体）
１２ａ    上側アーム
１２ｂ    下側アーム
１２ｃ    ガイド用凹部
１０５      ワイヤシール
１０７      第１シール側段差
１０８      先端
【図１】
0005812886.tif 000002
【図２】
0005812886.tif 000003
【図３】
0005812886.tif 000004
【図４】
0005812886.tif 000005
【図５】
0005812886.tif 000006
【図６】
0005812886.tif 000007
【図７】
0005812886.tif 000008
【図８】
0005812886.tif 000009
【図９】
0005812886.tif 000010